(57)【要約】      （修正有）【課題】布団を収容して内部のエアーを抜くことで圧縮すると共にエアー漏れを抑えることが出来る布団圧縮袋の吸気弁の提供。【解決手段】吸気弁２は上シート３に固定された弁本体１０と該弁本体１０を被覆する弁蓋１１、及び弁本体１０の中央凹部にセットされてエアー吸い込み穴１２を開閉することが出来るお椀形の弁１３から成り、該弁１３は軟質樹脂製又はゴム製としてエアー吸い込み穴１２を形成する筒の傾斜内周面に凸部外側面が接し、そして上面に穴２４を形成した弁蓋１１にコイルバネ２３を取付けて弁底２２にバネ力を付勢して押圧し、さらに上記弁本体１０の底には下方へ延びる複数本の脚１４，１４・・を設けている。【選択図】図３
0003140873.tif 000002
【実用新案登録請求の範囲】
【請求項１】
布団を収容して内部のエアーを抜くことで圧縮することが出来る布団圧縮袋の吸気弁において、該吸気弁は上シートに固定された弁本体と該弁本体を被覆する弁蓋、及び弁本体の中央凹部にセットされてエアー吸い込み穴を開閉することが出来るお椀形の弁から成り、該弁は軟質樹脂製又はゴム製としてエアー吸い込み穴を形成する筒の傾斜内周面に凸部外側面が接し、そして上面に穴を形成した弁蓋にバネを取付けて弁底にバネ力を付勢して押圧し、さらに上記弁本体の底には下方へ延びる複数本の脚を設けたことを特徴とする布団圧縮袋の吸気弁。
【請求項２】
上記バネとしてコイルバネを用いた請求項１記載の布団圧縮袋の吸気弁。
【考案の詳細な説明】
【技術分野】
【０００１】
本考案は布団を収容した状態で袋内部のエアーを吸引して圧縮するための吸気弁に関するものである。
【背景技術】
【０００２】
布団はその体積が大きく、都会のマンションなどでは押入れなどに収納する際に問題となる。そこで、近年ではビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように機能する吸気弁が取付けられている。すなわち、吸気弁に内蔵している弁は袋内の負圧によって閉じて外からのエアーが侵入しない構造としている。しかし、現実には僅か
なエアー漏れが発生し、長期間経過すると圧縮された布団が膨らんでしまう。
【０００４】
エヤー漏れ防止に関する吸気弁に関する技術は従来から色々知られている。例えば、特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そしてその後、蓋体を弁板回りに一方向に回動させると、蓋体の下面側に設けているロック機構が作動して弁板が直接下方に押圧され、排気孔を密閉した状態に保持することが出来る。
【０００６】
又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。
【特許文献１】特開２００４−３３８７８４号に係る「収納袋の排気弁」
【特許文献２】特開２００５−３５５６２号に係る「弁機構」
【考案の開示】
【考案が解決しようとする課題】
【０００７】
このように、布団圧縮袋に取付けられる吸気弁(排気弁)に関する従来技術は色々知られている。ところが、吸気弁が閉じてもエアー漏れを完全に防止することは出来ず、圧縮された布団は長期間経過すると多少を問わず膨らんでしまう。この減少は圧縮袋内に収容した布団を完全に圧縮しない状態の場合に特に発生する。すなわち、不完全圧縮状態では圧縮袋内の負圧が低い為に弁を押下げる力が低下し、エアー漏れを起すと考えられる。本考案が解決しようとする課題はこの問題点であり、圧縮状態が不完全であってもエアー漏れを殆ど起さない吸気弁を提供する。
【課題を解決するための手段】
【０００８】
本考案の吸気弁が取付けられる布団圧縮袋は、布団を収容するビニール袋で構成されたもので、一辺は開口可能な形態と成っており、閉じた状態ではエアーが漏れないようにシールされる。そして、上記吸気弁は袋のほぼ中央部に取付けられ、該吸気弁にホースの先端を当てがって掃除機で吸込むことが出来る。ただし、布団圧縮袋としてのこの基本構造は従来と同じである。
【０００９】
ところで、本考案の吸気弁は概略円盤形を成し、弁本体と弁蓋、及び弁から成り、弁本体は圧縮袋の上シートに固着され、内部に弁を収容すると共に弁蓋が取付けられる。そこで弁本体には平坦なリング状の接合面が形成され、この接合面を介して上シートに固着される。固着手段は特に限定しないが粘着テープなどが用いられる。
【００１０】
弁本体に収容される弁はゴムなどで柔軟性のある材質からなり、弁本体の中央に設けた吸込み穴に嵌っている。弁蓋は弁本体に取付けられるが、同時に弁を下方へ押圧して吸込み穴に密着させるバネ力を付勢している。弁蓋にも吸込み穴が形成されて、掃除機のホースを当てがって吸引するならば、弁はバネを圧縮して浮上し、圧縮袋内のエアーを吸い込むことが出来る。
【考案の効果】
【００１１】
本考案に係る吸気弁は上シートに固着される弁本体と、弁本体に収容されて吸込み穴を塞ぐ弁と、弁本体に取付けられて弁を押圧する弁蓋で構成している。そして、弁蓋にはバネを取付けて弁を下方へ押圧するバネ力を付勢している。従って、掃除機のホールを当てがって圧縮袋内のエアーを吸い込み、布団を圧縮する場合には、バネが変形して弁が浮上し、エアーの吸い込みを止めると同時にバネ力にて弁は吸込み穴を塞ぐことが出来る。その為に、圧縮袋に収容した布団を完全に圧縮しない場合であってもエアー漏れの発生を抑えることが可能となる。例えば、完全に圧縮しない方が好ましい羽毛布団を圧縮袋に収容する場合に適している。
【実施例】
【００１２】
図１は布団圧縮袋の外観を示す実施例である。同図の１はビニール袋、２は吸気弁を表している。ビニール袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通してビニール袋内のエアーを吸込むことが出来る。
【００１３】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１４】
上記布団圧縮袋としての基本形態は従来のものと共通しているが、本考案の特徴は吸気弁２にある。吸気弁２の基本的な機能は従来と同じであり、掃除機のホースを当てがって吸引するならば、圧縮袋内のエアーは吸い込まれ、吸引が停止すると同時に吸気弁２は閉じるように動作する。
【００１５】
図３は本考案に係る吸気弁２を示す実施例であり、断面図を表している。該吸気弁２は概略円盤形を成し、弁本体１０と弁蓋１１の組み合わせで構成され、弁蓋１１は弁本体１０の中央に形成した凹部２５に嵌着している。そして、凹部２５の底２６にはエアーの吸い込み穴１２が形成され、このエアー吸い込み穴１２にお椀形弁１３が嵌っている。
【００１６】
そして、本考案の吸気弁２の弁本体１０の下方には複数の脚１４，１４・・が延びている。各脚１４，１４・・間に空間１５が形成され、エアーの流れはスムーズと成る。すなわち、掃除機にて布団圧縮袋内のエアーが吸い取られることで布団生地は弁本体１０の底２６に密着するが、各脚１４，１４・・間の空間１５，１５・・をエアーが流れてエアー吸い込み穴１２から吸込まれ、エアーの吸込みが阻害されることがないようにしている。
【００１７】
凹部２５に嵌着した弁蓋１１には穴が設けられ、エアーはこの穴を通して吸込まれる。そして、弁蓋１１にはコイルバネ２３が取付けられ、該コイルバネ２３のバネ力は上記弁１３に付勢されて弁１３を下方へ押圧している。該コイルバネ２３は弁蓋１１の中心軸に設けた筒２４に嵌って位置決めされている。
【００１８】
図４は弁１３を単独で表している具体例であり、その形状は概略お椀形をしている。該弁１３は円盤状のツバ１６とツバ１６の中央に設けている凸部１７から成っている。弁１３の材質は柔軟な樹脂材又はゴム材であり、適当に変形して上記エアー吸い込み穴１２の傾斜内周面１８になじんで隙間なく密着することが出来る。凸部１７の外側面１９は滑らかに湾曲した凸状曲面にて形成され、エアー吸い込み穴１２の傾斜内周面１８には適度に変形して密着する。
【００１９】
円盤状ツバ１６には穴２０，２０・・が４箇所に貫通して設けられ、エアー吸い込み穴１２に生じた隙間２１を流れるエアーはこれら穴２０，２０・・を通過して掃除機のホースに吸込まれる。勿論、穴２０，２０・・だけでなく、エアーはエアー吸い込み穴１２の隙間２１からツバ１６の外周へ流れてホースに吸込まれる場合もある。
【００２０】
図５(ａ)は弁１３がエアー吸い込み穴１２を閉鎖した状態を、(ｂ)はエアー吸い込み穴１２が開いている状態を表している。掃除機によってエアーを吸い込む場合、お椀形弁１３の上側の気圧が低く成って該弁１３の外側面１９は湾曲し、その為にエアー吸い込み穴１２が一部開口する。すなわち、エアーを吸引することで凸部１７の上側の空気圧が低下して外側面１９が内側に湾曲し、該凸部１７とエアー吸い込み穴１２の傾斜内周面１８との間に隙間２１が形成され、この隙間２１からエアーが流れて布団圧縮袋内の空気が抜取られる。
【００２１】
この場合、凸部１７の底２２はコイルバネ２３にて押圧されている為に、弁１３が上方へ浮上する場合にはコイルバネ２３は圧縮される。（ａ）の状態であってもコイルバネ２３は多少圧縮状態にあってバネ力が底２２に付勢されている。従って、凸部外側面１９は傾斜内周面１８に常に密着し、エアー漏れを極力防止することが出来る。（ｂ）のようにエアーを吸い込む場合には、コイルバネ２３はさらに圧縮変形することで隙間２１が形成される。
【００２２】
勿論、掃除機が停止してエアーの抜取りが停止すると同時に、弁１３の下側の空気圧が低くなると共に上側の空気圧が高くなって、すなわちビニール袋１の内圧がマイナスと成って弁１３の外側面１９はエアー吸い込み穴１２の傾斜内周面１８に密着する。本考案では上記コイルバネ２３を備えて弁１３を押圧することで、ビニール袋１の内圧がそれ程低くない不完全圧縮状態であっても、弁１３からエアーが漏れにくくなる。
【図面の簡単な説明】
【００２３】
【図１】布団圧縮袋の外観図。
【図２】図１のＡ−Ａ断面拡大図。
【図３】本考案の吸気弁の実施例。
【図４】吸気弁を構成する弁の具体例。
【図５】吸込み穴に嵌った弁の動作を表し、（ａ）は弁が閉じている場合、（ｂ）は弁が開いている場合。
【符号の説明】
【００２４】
１  ビニール袋
２  吸気弁
３  上シート
４  下シート
５  辺
６  辺
７  凹シール
８  凸シール
９  凹溝
10  弁本体
11  弁蓋
12  吸込み穴
13  弁
14  脚
15  空間
16  ツバ
17  凸部
18  傾斜内周面
19  外側面
20  穴
21  隙間
22  底
23  コイルバネ
24  筒
25  凹部
26  底
【図１】
0003140873.tif 000003
【図２】
0003140873.tif 000004
【図３】
0003140873.tif 000005
【図４】
0003140873.tif 000006
【図５】
0003140873.tif 000007